【手続補正書】
【提出日】平成25年10月23日(2013.10.23)
【手続補正１】
【補正対象書類名】特許請求の範囲
【補正対象項目名】全文
【補正方法】変更
【補正の内容】
【特許請求の範囲】
【請求項１】
管セグメントを結合させるための結合部であって、
第１のハウジング構成要素；
第２のハウジング構成要素であって、前記第１および第２のハウジング構成要素が開放状態と、前記結合部の中心軸を規定する閉鎖状態とを有する、第２のハウジング構成要素；および
前記第１の構成要素と第２の構成要素とを連結させる締結具であって、前記締結具は、第１の係合軸に沿って前記第１のハウジング構成要素と係合される第１の要素と、第２の係合軸に沿って前記第２のハウジング構成要素と係合される第２の要素とを含み、前記第１の要素は前記第２の要素に係合されて、前記締結具の前記第１および第２の要素が、前記第１および第２の係合軸の少なくとも一方を含む平面に対して垂直な旋回軸の周りで互いに対して旋回するようにし、前記旋回軸は、前記結合部の前記中心軸に平行であり、かつ前記第１および第２のハウジング構成要素が前記開放状態と閉鎖状態との間で互いに対して旋回する前記旋回軸を規定する、締結具
を含む結合部。
【請求項２】
第１の端部、第２の端部、および前記第１の端部と第２の端部との間に延在するアーチ形面を有する第１のハウジング構成要素；
第１の端部、第２の端部、および前記第１の構成要素の前記第１の端部と第２の端部との間に延在するアーチ形面を有する第２のハウジング構成要素であって、前記第１および第２のハウジング構成要素の前記第１の端部の各々が貫通孔を有する、第２のハウジング構成要素；
前記第１の構成要素と第２の構成要素とを結合するように、前記第１および第２のハウジング構成要素の前記第１の端部の前記貫通孔内に配置された締結具であって、前記締結具が、第１の要素および第２の要素を有していて、前記締結具の第１の状態および第２の状態を規定し、前記締結具の前記第１の状態は、前記貫通孔を通って延在するアライメントの軸を規定するために、前記第１および第２の構成要素の前記第１の端部の前記貫通孔が実質的に整列されるように、実質的に整列されている前記締結具の前記第１および第２の要素を含み、前記締結具の前記第２の状態は、前記アライメントの軸に実質的に垂直に延在する旋回軸の周りで互いに対して曲げられている前記第１および第２の要素を含む、締結具
を含む、請求項１に記載の結合部。
【請求項３】
前記締結具が第１の締結具を含み、および前記第１および第２のハウジング構成要素の前記第２の端部の各々が貫通孔を有し、前記結合部が、前記第１および第２の構成要素の前記第２の端部の前記貫通孔の少なくとも一方内に配置された第２の締結具をさらに含む、請求項２に記載の結合部。
【請求項４】
前記第１の締結具が前記第１の状態にあり、前記第１および第２の構成要素の前記アーチ形面が互いに対向して、前記閉鎖構造を規定する、請求項３に記載の結合部。
【請求項５】
前記第１および第２のハウジング構成要素の一方の前記第２の端部が、前記結合部の中心軸に向かって延在しかつ前記一方のハウジング構成要素の前記第２の端部の前記貫通孔と連通するスロットを規定する、請求項２に記載の結合部。
【請求項６】
前記第２の締結具が、前記第１および第２のハウジング構成要素の一方の前記第２の端部にある１つの貫通孔にのみ配置されて、前記第１の締結具が、前記第１の状態と第２の状態との間で動き、および前記第１および第２のハウジング構成要素が、旋回軸の周りで互いに対して旋回する、請求項３に記載の結合部。
【請求項７】
前記第１および第２のハウジング構成要素の少なくとも一方が内面を含み、前記内面が、前記第１または第２の係合軸の周りでの前記第１の構成要素と第２の構成要素との間の相対的回転を防止するように、前記締結具の一部分と係合する、請求項１または２に記載の結合部。
【請求項８】
前記締結具の前記第１および第２の要素の各々が、拡大頭部分と、前記締結具の前記旋回軸に対して垂直に延在する前記要素の長手軸に沿って、前記頭部分から垂下する軸部分とを含み；前記第１および第２の要素の各々の前記頭部分が、前記旋回軸に沿って延在する貫通孔と、前記第１の要素を前記第２の要素に結合して、前記第１および第２の要素の前記頭部分が互いに係合するようにする、前記締結具の各頭部分の前記貫通孔に配置されたピンとを含む、請求項１または２に記載の結合部。
【請求項９】
前記第１の要素の前記頭部分が第１の平面的な係合面を含み、前記第２の要素の前記頭部分が第２の平面的な係合面を含み、第１および第２の平面的な係合面が互いに係合する、請求項８に記載の結合部。
【請求項１０】
前記第１の要素の前記頭部分が、前記第１の平面的な係合面に垂直に延在する第１の平面的な肩部を含み、さらに、前記第２の要素の前記頭部分が、前記第２の平面的な係合面に垂直に延在する第２の肩部を含む、請求項９に記載の結合部。
【請求項１１】
前記第１および第２の要素の各々が、拡大頭部分と、および長手軸に沿って前記頭部分から垂下する軸部分を有し、前記第１および第２の要素の各頭部分は、第１の要素の軸部分と第２の要素の軸部分が互いに旋回軸の回りで互いに旋回するように係合されたことを特徴とする請求項１に記載の結合部。
【請求項１２】
前記第１および第２の要素の前記軸部分はねじ
前記第１および第２の要素の各々の前記軸部分にネジが切られている、請求項１１に記載の締結具。
【請求項１３】
管結合部の組立方法であって、
前記結合部の第２のハウジング構成要素の第１の端部に第１の係合軸に沿って配置された第２の締結具要素に対して、前記結合部の第１のハウジング構成要素の第１の端部に第２の係合軸に沿って配置された第１の締結具要素を旋回軸の周りで旋回させるステップであって、前記第１および第２のハウジング構成要素の内面が、互いに対して対向させることにより、前記旋回軸にほぼ並行に延びる中心係合軸を規定するようにし、前記旋回軸は前記第１および第２の係合軸の少なくとも一方を含む平面に対して垂直であるステップ、および
前記第１のハウジング構成要素の第２の端部を前記第２のハウジング構成要素の前記第２の端部に固定するステップ
を含む方法。
【請求項１４】
前記固定が、前記第１および第２のハウジング構成要素の一方の前記第２の端部に固定された締結具を、前記第１および第２のハウジング構成要素の他方の前記第２の端部のスロットに挿入すること、および前記スロットを有する前記構成要素の貫通孔に前記ボルトを固定することを含み、前記スロットは、前記貫通孔と連通している、請求項１３に記載の方法。
【請求項１５】
前記第１および第２のハウジング構成要素のそれぞれの内面が対向するように、前記第１の締結部を前記第２の締結部に関して旋回し、さらに前記第１および第２の係合軸を前記旋回軸に対して垂直になるように直線的に配置することを特徴とする、請求項１３に記載の方法。
【請求項１６】
２つの構成要素の間にピボット結合を提供する締結具であって、
第１の要素および第２の要素
を含み、前記第１および第２の要素の各々が、拡大頭部分と、長手軸に沿って前記頭部分から垂下する軸部分とを有し、前記第１および第２の要素の各々の前記頭部分が互いに対して係合されて、前記第１の要素の前記軸部分および前記第２の要素の前記軸部分が旋回軸の周りで互いに対して旋回する、締結具。
【請求項１７】
前記第１および第２の要素の各々の前記頭部分が貫通孔を含み、および前記締結具が、前記締結具の各頭部分の前記貫通孔に配置されたピンをさらに含んで、前記第１の要素を前記第２の要素に結合させ、かつ前記第１および第２の要素の前記頭部分が互いに対して旋回する前記旋回軸を規定する、請求項１６に記載の締結具。
【請求項１８】
前記第１および第２の要素の各々の前記軸部分にネジが切られている、請求項１６に記載の締結具。